(57)【要約】【課題】  除菌作用を有し、オペレータの頭部への重量負担が軽く必要に応じて光源の切替えが行える医療用ヘッドライト装置の提供を目的とする。【解決手段】  光源から発射された光線を導く光ファイバケーブルと、前記光ファイバーによって導かれた光線を所定の方向に照射する１又は複数のレンズ手段及び反射手段を有する照射手段と、前記照射手段をオペレータの頭部に装着させるヘッドバンド手段と、を備え、照射手段の光照射面を構成する前記レンズ手段の表面及び当該レンズに装着されるフィルタには、光触媒がコーティングされていることを特徴とする。【選択図】  図１
2005304806.tif 000002
【特許請求の範囲】
【請求項１】
光源から発射された光線を導く光ファイバケーブルと、
前記光ファイバーによって導かれた光線を所定の方向に照射する１又は複数のレンズ手段及び反射手段を有する照射手段と、
前記照射手段をオペレータの頭部に装着させるヘッドバンド手段と、
を備えたことを特徴とする医療用ヘッドライト装置。
【請求項２】
前記照射手段の光照射面を構成する前記レンズ手段の表面には、光触媒がコーティングされていることを特徴とする請求項１に記載の医療用ヘッドライト装置。
【請求項３】
前記照射手段は、照射される光線のビーム径を調節する絞りリング機構を備えていることを特徴とする請求項１又は２に記載の医療用ヘッドライト装置。
【請求項４】
前記照射手段は、垂直方向に回転可能とするべく前記ヘッドバンド手段に半固定に係合されていることを特徴とする請求項３に記載の医療用ヘッドライト装置。
【請求項５】
前記照射手段は、前記ヘッドバンドに対して水平方向に移動可能に取り付けられていることを特徴とする請求項３に記載の医療用ヘッドライト装置。
【請求項６】
前記ヘッドバンドは、サイズの調整を可能にする調整ノブを備えていることを特徴とする請求項５に記載の医療用ヘッドライト装置。
【請求項７】
前記光ファイバケーブルは、前記ヘッドバンドの少なくとも１箇所で支持されることを特徴とする請求項１に記載の医療用ヘッドライト装置。
【請求項８】
前記光ファイバケーブルは、１又は複数のガウンクリップを備えることを特徴とする請求項７に記載の医療用ヘッドライト装置。
【請求項９】
前記光ファイバケーブルは、前記照射部と着脱可能に構成されていることを特徴とする請求項１に記載の医療用ヘッドライト装置。
【請求項１０】
光源と、
前記光源から発射された光線を導く光ファイバケーブルと、
前記光ファイバーによって導かれた光線を所定の方向に照射する１又は複数のレンズ手段及び反射手段を有する照射手段と、
前記照射手段をオペレータの頭部に装着させるヘッドバンド手段と、
を備えたことを特徴とする医療用ヘッドライト装置。
【請求項１１】
前記照射手段の光照射面を構成する前記レンズ手段の表面には、光触媒がコーティングされていることを特徴とする請求項１０に記載の医療用ヘッドライト装置。
【請求項１２】
前記光ファイバケーブルは、その入力端において前記光源との接続が可能なプローブを備えていることを特徴とする請求項１０に記載の医療用ヘッドライト装置。
【発明の詳細な説明】
【技術分野】
【０００１】
本発明は、外科手術等の医療行為の際にオペレータの頭部に装着される医療用ヘッドライト装置に関する。
【背景技術】
【０００２】
医者が、外科手術や診療時に患者の患部に光を照射するための医療用ヘッドライト装置として、ヘッドバンド部に光源を装着し、当該光源に電源コードを経由して商用交流電力を供給することにより光源を点灯させるタイプの医療用ヘッドライトが用いられてきた。
【０００３】
さらに、他のタイプの医療用ヘッドライトとして、ヘッドハンド部に光源と共に電池等の電源を搭載することにより電源コードを不要としても利用されてきた。
【発明の開示】
【発明が解決しようとする課題】
【０００４】
しかし、このような従来の医療用ヘッドライト装置は、オペレータのヘッド（頭部）に光源装置とレンズを搭載することから、オペレータのヘッド（頭部）における重量負担が大きく、例えば数時間に及ぶ外科手術の場合等オペレータを極度に疲労させる原因になっていた。
【０００５】
特に、電池を搭載する医療用ヘッドライトの場合には、大容量の電池を使用することによる更なる重量負担を必要とするか又は手術等の医療行為中に電池交換の必要性が生じる問題点があった。
【０００６】
また、電源コードを介して光源に電力を供給する場合は、メス等で電源コードを傷つけてしまい、感電の危険性も指摘されていた。
【０００７】
さらに、従来の医療用ヘッドライトにおいては、光源が固定であることから光線の種類（波長や強度）の選択（切替え）ができず、手術状況に合わせた最適の光線を利用出来ないという問題点があった。
【０００８】
このため、本発明は、除菌作用を有し、オペレータの頭部への重量負担が軽く必要に応じて光源の切替えが行える医療用ヘッドライト装置の提供を目的とするものである。
【課題を解決するための手段】
【０００９】
本発明は、斯かる従来の医療用ヘッドライトの課題を解決するべく、光源から発射された光線を導く光ファイバケーブルと、前記光ファイバーによって導かれた光線を所定の方向に照射する１又は複数のレンズ手段及び反射手段を有する照射手段と、前記照射手段をオペレータの頭部に装着させるヘッドバンド手段と、を備えたことを特徴とするものである。
【００１０】
これにより、光ファイバーが電力ケーブルよりも軽量であることと相俟って、オペレータの頭部への重量負担を軽減し、長時間装着しても疲れない医療用ヘッドライト装置を実現したのである。
【００１１】
ここで、前記照射手段の光照射面を構成する前記レンズ手段の表面には、光触媒がコーティングされていることを特徴とする。これにより、光照射部が常に浄化された状態を維持させることができるのである。ここで、前記レンズ手段の表面とは、レンズ手段に装着されるフィルタを含み、このフィルタの表面にも光触媒がコーティングされる。
【００１２】
そして、前記照射手段は、照射される光線のビーム径を調節する絞りリング機構を備えていることにより患部への照射範囲を調整することができるのである。
【００１３】
また、前記照射手段は、垂直方向に回転可能とするべく前記ヘッドバンド手段に半固定に係合され、さらには、前記ヘッドバンドに対して水平方向に移動可能に取り付けられていることにより照射方向を自由に且つ簡易に調整することができる。
【００１４】
そして、前記ヘッドバンドは、サイズの調整を可能にする調整ノブを備えていることにより装着性を向上させている。
【００１５】
ここで、前記光ファイバケーブルは、前記ヘッドバンドの少なくとも１箇所で支持され、１又は複数のガウンクリップを備える。また、前記光ファイバケーブルは、前記照射部と着脱可能に構成される。
【００１６】
本発明は、さらに、光源と、前記光源から発射された光線を導く光ファイバケーブルと、前記光ファイバーによって導かれた光線を所定の方向に照射する１又は複数のレンズ手段及び反射手段を有する照射手段と、前記照射手段をオペレータの頭部に装着させるヘッドバンド手段と、を備えたことを特徴とする医療用ヘッドライト装置を提供するものである。
【００１７】
ここで、前記光ファイバケーブルは、その入力端において前記光源との接続が可能なプローブを備えていることにより、プローブの差し替えにより光線の種類（波長や強度）の選択（切替え）を可能としたのである。
【発明の効果】
【００１８】
本発明に係る医療用ヘッドライト装置は、除菌作用を有し、オペレータの頭部への重量負担が軽く必要に応じて光源の切替えを可能とし、さらに、照射手段の光照射面を構成するレンズ手段及びこれに装着されるフィルタの表面には、光触媒がコーティングされていることにより光照射部が常に浄化された状態を維持させることができたのである。
【発明を実施するための最良の形態】
【００１９】
以下、図面を参照して、本発明の実施の形態について詳細に説明する。
【００２０】
図１は、本発明の実施形態に係る医療用ヘッドライト装置の全体構成を示すものである。
図１に示すように、医療用ヘッドライト装置１は、オペレータの頭部に着用するヘッドバンド１１（請求項１，１２記載のヘッドバンド）と、ヘッドバンド１１に係合されたレンズユニット１２と、レンズユニット１２に光線を伝達する光ファイバケーブル１５とから構成される。
【００２１】
ヘッドバンド１１は、サイズの調整を可能にする調整ノブ１１１と、ヘッドバンド１１を支持するためのケーブルストラップ１７とを備える。
【００２２】
レンズユニット１２は、オペレータの前方に照射する光線の光軸径を調節する絞りリング１２１と、ヘッドバンド１１に対して水平方向に回転可能なヘッドランプ部１２２と、ヘッドランプ部１２２に収納され、伝達された光線を前記オペレータの前方に照射する対物レンズ１２３と、対物レンズ１２３から照射される光線の照射角度を調節するためのポジショニングバー１４（調整手段）とを備える。
【００２３】
光ファイバケーブル１５は、光線の入力端において光源との接続が可能なプローブ１６と、ヘッドバンド１１のケーブルストラップ１７に巻き付けてヘッドバンド１１に保持させるためのケーブルリング１８と、オペレータの着衣に挟み込んで、ケーブルを保持するためのガウンクリップ１９とを備える。
【００２４】
対物レンズ１２３は、その表面に光触媒がコーティングされている。これにより、対物レンズ１２３表面におけるカビの発生を防止すると共に、これに触れる空気を浄化させるようにしている。
【００２５】
本医療用ヘッドライト装置においては、常時この光触媒に光エネルギーが照射されているので、光触媒は最大限に活性化され、レンズユニット１２光照射面への汚れやばい菌の付着を防止することができるのである。
【００２６】
光触媒の例としては、公知の酸化チタン（ＴｉＯ２）等を使用することが可能である。酸化チタンの場合、酸化チタンが光エネルギーと空気中の水分（Ｈ２Ｏ）を受けて発生する活性酸素が汚れや菌を分解することにより、汚染を防止し、除菌の効果を生じるのである。
【００２７】
レンズユニット１２は、ヘッドバンド１１の前部に半固定に係合されている。これにより、レンズユニット１２から照射される光線の照射角は、上下方向の首振りが可能となる。
【００２８】
また、レンズユニット１２は、図２で後述するように、対物レンズ１２３に近い側の一部筐体が、ヘッドバンド１１に近い側の他の筐体と回転可能に取り付けられている。これにより、レンズユニット１２の対物レンズ１２３から照射される光線の照射角は、左右方向の首振りが可能となる。
【００２９】
以下、本実施形態に係る医療用ヘッドライト装置の使用方法を説明する。
【００３０】
まず、オペレータは、頭部にヘッドバンド１１を着用し、調整ノブ１１１により、サイズ（ヘッドバンド１１の内径）を調節して、ヘッドバンド１１が頭部にしっかりとフィットするようにする。プローブ１６は、この着用の前又は後に、光源（図４で後述する）と接続しておくことが可能である。さらに、この接続時点の前又は後に、この光源のスイッチを投入しておくことが可能である。
【００３１】
次に、オペレータは、ポジショニングバー１４を手操作して、対物レンズ１２３から照射される光線の垂直方向及び水平方向の照射角度を調節することにより、被照射体の特定部位が明瞭に目視出来るようにする。
【００３２】
光ファイバケーブル１５は、前述のケーブルリング１８又はケーブルリング１８が配置されていない他の任意の箇所において、ヘッドバンド１１と着脱可能であると共に、レンズユニット１２とも着脱可能である。
【００３３】
図２は、本発明の実施形態に係る医療用ヘッドライト装置における光ファイバケーブルとレンズユニットとの着脱の仕組みを説明するものである。
【００３４】
図２（ａ），（ｂ）に示すように、光ファイバケーブル１５は、レンズユニット１２の上部組立体に挿入する（操作Ｈ１，Ｈ２）。次に、図２（ｃ）に示すように、光ファイバケーブル１５を時計方向にクリック音がするまで回転させる（操作Ｈ３）と、前記留め具のロック用ノブが上方に引き上げられ、光ファイバケーブル１５がレンズユニット１２に固定される。また、図２（ｄ）に示すように、光ファイバケーブル１５をレンズユニット１２から取り外す場合には、このロック用ノブを再び元のように下方に押し下げ（操作Ｈ４）、その後、光ファイバケーブル１５を反時計方向に回転させる（操作Ｈ５）。
【００３５】
図３は、本発明の実施形態に係る医療用ヘッドライト装置のレンズユニットの１実施例としての構成例を示すものである。
同図に示すように、レンズユニット１２の上部組立体には絞りリング１２１が設置され、下部組立体には対物レンズ１２３が配設される。さらに、対物レンズ１２３の上にはフィルタ１２４が装着される。そして、このフィルタ１２４の表面にも光触媒がコーティングされている。これにより、対物レンズ１２３上にコーティングされた光触媒と同様に、これに触れる空気を浄化させるようにしている。フィルタ１２４上にコーティングされた光触媒には、光エネルギーが照射されているので、光触媒は最大限に活性化され、本装置と患部間における空気環境をも浄化させることができるのである。
【００３６】
さらに、図３に示す上部レンズや鏡の表面にも光触媒をコーティングすることにより、光触媒による上記作用を高めることができる。
【００３７】
図４は、光源装置を含む医療用ヘッドライト装置の例を示すものである。
同図に示すように、本実施の形態において使用する光源（光源ユニット４０）は、複数種類の光線の出力窓を集約した集合出力部４１と、前記光線の出力窓に該当するプローブコネクタ４２と、光源の光線発生部（図示は省略）を点灯又は消灯させる電源スイッチ４３と、携行時に手で掴むための手提げ４４とを備える。
出力部４１は円板状であり、この円板の中心軸を回転軸にして手操作で回転可能に構成されている。
【００３８】
複数のプローブコネクタ４２は、それぞれ異なる種類の光線を出力する。プローブ１６に入力される光線の種類は、プローブ１６を挿入するプローブコネクタ４２を選択することで切替えることができるが、同じプローブコネクタ４２を選択したままであっても、集合出力部４１を回転させることによって、この光線の種類を順次切替えることができる。
【００３９】
光源ユニット４０の光線発生部は、ハロゲンランプ又はキセノンランプで構成することができる。また、この光線発生部からの光線の種類としては、紫外線、可視光線、及び紫外線を含む可視光線が可能である。
【００４０】
上記のように、本発明の実施形態では、ヘッドバンドとしてヘッドバンド１１を使用するものとしたが、この開示の一部をなす論述及び図面はこの発明を限定するものではないことは明らかである。
【産業上の利用可能性】
【００４１】
本発明は、外科手術等の医療行為の際にオペレータの頭部に装着される医療用ヘッドライト装置に関するものであり、産業上の利用可能性を有する。
【図面の簡単な説明】
【００４２】
【図１】本発明の実施形態に係る医療用ヘッドライト装置の全体構成を示す。
【図２】本発明の実施形態に係る医療用ヘッドライト装置における光ファイバケーブルとレンズユニットとの着脱の仕組みを説明するものである。
【図３】本発明の実施形態に係る医療用ヘッドライト装置のレンズユニットの１実施例としての構成例を示す。
【図４】光源装置を含む本発明の実施形態に係る医療用ヘッドライト装置の例を示す。
【符号の説明】
【００４３】
１：医療用ヘッドライト装置
１１：ヘッドバンド手段
１２：レンズユニット
１４：ポジショニングバー（調整手段）
１５：光ファイバケーブル
１６：プローブ
１７：ケーブルストラップ
１８：ケーブルリング
１９：ガウンクリップ
４０：光源ユニット（光源手段）
４１：集合出力部
４２：プローブコネクタ
４３：電源スイッチ
１１１：調整ノブ
１２１：絞りリング
１２２：ヘッドランプ部
１２３：対物レンズ（光触媒コーティング）
１２４：フィルタ（光触媒コーティング）
【図１】
2005304806.tif 000003
【図２】
2005304806.tif 000004
【図３】
2005304806.tif 000005
【図４】
2005304806.tif 000006